(57)【要約】  【課題】  リアパネルが大きく傾いていても、それに影響されることなく、リアパネルの「逃げ」を阻止し、リアパネルがトップカバーに正確に、かつ容易に取り付けることができるようにすること。  【解決手段】  トップカバー１の天板１ａの下面がリアパネル４の上縁と当接する線分を境にして、そのフロントパネル３側に、天板１ａの後方（リア側）から前方（フロント側）に向かって立ち上がるテーパ形状１ｄを設ける。このようにしたので、リアパネル４の「逃げ」の程度が激しい時でも、そのテーパ形状１ｄによって、傾いたリアパネル４の上縁が天板１ａの後方側、すなわちリアパネル４側に誘導されるので、トップカバー１が正しい姿勢、すなわち、リアパネル４の上縁に乗り上げることなく装着される。【選択図】      図２
2007059436.tif 000002
【特許請求の範囲】
【請求項１】
矩形の天板と、その矩形の一組の対向縁のそれぞれに連設された側板とからなるトップ
カバーの前記天板の下面に、リアパネルの上縁と当接する線分を境にして、そのフロント
パネル側に、天板の後方から前方に向かって立ち上がるテーパ形状を設けた電子機器のト
ップカバー。
【請求項２】
請求項１に記載のトップカバーを備えた電子機器のシャーシ。
【発明の詳細な説明】
【技術分野】
【０００１】
この発明は、ＣＤ再生機やＤＶＤ録画機などの電子機器の筐体（シャーシ）を構成する
トップカバーとリアパネルの組み立ての際の構造の改良に関する。
【背景技術】
【０００２】
図３は、上記のような電子機器のシャーシ２０を構成する要素を分解斜視図で示したも
のである。その内、トップカバー１の一従来例として、図３に示すように、矩形の天板１
ａの一組の対向縁のそれぞれに側板１ｂが連設された形をとるものがある。このトップカ
バーの両側板１ｂがシャーシ２０の左右の側板となる。シャーシ２０は、このような形態
のトップカバー１と、金属の底板２の前縁に硬質樹脂のフロントパネル３が取り付けられ
たものと、その底板２の後縁に取り付けられる金属板のリアパネル４とで構成される。
【０００３】
底板２の、フロントパネル３とリアパネル４以外の対向縁には、トップカバー１の側板
１ｂの下縁寄りの部分を取り付ける取り付け代として、所定の高さの壁２ａが形成されて
いる。そして、その壁２ａのリアパネル４側の端部にリアパネル４取り付け用の取り付け
板５が突設されている。リアパネル４は、図４に示すように、この取り付け板５にネジ止
め（ネジ６）で固定する。
【０００４】
これらのシャーシ２０の構成要素を組み立てる際、リアパネル４とトップカバー１の関
係において、リアパネル４の上縁がフロントパネル３側に傾いた場合、すなわち、トップ
カバー１に対する「逃げ」が生じた場合、これを阻止するため、図３〜図５に示すように
、トップカバー１の天板１ａの下面のリアパネル４の上縁の当接予定位置のフロント側近
傍に、そのリアパネル４の上縁の当接部１ｃを設けている。
【０００５】
この当接部１ｃとしては、例えば、トップカバー１の天板１ａの、そのリアパネル４が
存在する近辺の板面に「絞り」を施して、その隆起した部分のエッジにリアパネル４の上
縁を当接させるものがある。
【０００６】
このような当接部１ｃを設けておくことにより、リアパネル４がフロントパネル３側に
傾いていても、図５（ｂ）に示すように、その上縁をトップカバー１の天板１ａの前記隆
起部に当接させて、「逃げ」を阻止することができる。
【発明の開示】
【発明が解決しようとする課題】
【０００７】
しかしながら、リアパネル４がトップカバー１に対して大きく傾いている場合には、リ
アパネルの上縁が、トップカバーにおけるリアパネルの当接部１ｃ（「絞り」）のエッジ
に当接するという形を通り越して、図５（ｃ）に示すように、その当接部１ｃの部分に乗
り上げて、取り付け自体が困難となる、という不具合が生じていた。
【０００８】
そこで、本発明は、上記のような不具合をなくして、リアパネルが大きく傾いていても
、それに影響されることなく、リアパネルの「逃げ」を阻止し、トップカバーとリアパネ
ルが、互いに正しい姿勢で取り付けることができるように、かつ、そのことが容易に行え
るようにすることを課題とする。
【課題を解決するための手段】
【０００９】
上記課題を解決するため、本発明は、トップカバーの前記天板の下面がリアパネルの上
縁と当接する線分を境にして、そのフロントパネル側に、天板の後方（リア側）から前方
（フロント側）に向かって立ち上がるテーパ形状を設けた構成としたのである。
【００１０】
このような構成にしたので、リアパネルが大きく傾いていても、そのテーパ形状による
テーパ面によって、リアパネルの上縁が天板の後方側（リアパネル側）に誘導され、いわ
ゆる「逃げ」も解消されるので、トップカバーとリアパネルとの接続部位が概ね合致する
。
【発明の効果】
【００１１】
本発明は、上記のように構成したので、トップカバーに対するリアパネルの「逃げ」を
阻止することができ、リアパネルとトップカバーを、本来の正しい姿勢で組み立てること
が容易に行える。
【発明を実施するための最良の形態】
【００１２】
以下、この発明の実施の形態を図面を参照して説明する。従来と同じ要素については、
同じ符号を付す。図１は、本実施形態のシャーシ１０を構成する三つの要素を分解斜視図
で示したものであり、矩形の一組の対向縁の一方に樹脂のフロントパネル３が一体的に形
成された金属板の底板２と、そのフロントパネル３が形成された対向縁に取り付けられる
金属板のリアパネル４と、矩形の天板１ａの一組の対向縁に側板１ｂが連設された金属板
のトップカバー１とから成る。
【００１３】
底板２の、フロントパネル３とリアパネル４以外の対向縁には、トップカバー１の側板
１ｂの下縁寄りの部分の取り付け代として、所定の高さの壁２ａが形成されている。そし
て、その壁２ａのリアパネル４側の端部にリアパネル４取り付け用の取り付け板５が突設
されている。ここまでの構成は先述の従来例のシャーシ２０と同じである。
【００１４】
本実施形態が従来例のものと異なるのは、図１（ａ）に示すように、トップカバー１の
天板１ａの下面がリアパネル４の上縁と当接する線分を境にして、そのフロントパネル３
側に、天板１ａの後方（リア側）から前方（フロント側）に向かって立ち上がる台形のテ
ーパ形状１ｄを設けたことである。このテーパ形状１ｄは天板１ａを絞って形成したもの
である。（ｂ）は、そのテーパ形状１ｄの部分を示す部分拡大斜視図である。
【００１５】
このようにしたので、前出の背景技術の項で示した図５（ｃ）にあるように、リアパネ
ル４の「逃げ」の程度が激しい時に、このテーパ形状１ｄが形成されていない場合には、
傾いたリアパネル４の上縁が、本来、その「逃げ」を阻止するはずの隆起部に乗り上げて
、トップカバー１の装着が正しい姿勢でなされなかったのとは異なり、そのテーパ形状１
ｄによって、図２（ｂ）から（ｃ）に示すように、傾いたリアパネル４の上縁が天板１ａ
の後方側、すなわちリアパネル４側に誘導されるので、トップカバー１が正しい姿勢、す
なわち、リアパネル４の上縁に乗り上げることなく装着される。
【００１６】
なお、本実施形態では、テーパ形状１ｄの形状そのものについては、台形形状を形成し
たが、これに限られることはなく、円錐形状のものであってもよい。要するに、「逃げ」
姿勢にあるリアパネル４が、そのテーパ形状１ｄによって、天板１ａの後方側へ誘導され
るようなものであればよいのである。
【産業上の利用可能性】
【００１７】
この発明は、トップカバーにリアパネルをネジ止めする場合に広く適用できる。
【図面の簡単な説明】
【００１８】
【図１】は、本実施形態のシャーシの構成要素を分解斜視図で示し、（ｂ）にテーパ形状を部分拡大斜視図で示したものである。
【図２】は、本実施形態のシャーシのリアパネルをその取り付け板に固定し、さらに、トップカバーを装着した様子を（ａ）に斜視図で示し、（ｂ）〜（ｃ）にリアパネルがテーパ形状に誘導されて直立する様子を要部側断面図で示したものである。
【図３】は、従来のシャーシの構成要素を分解斜視図で示したものである。
【図４】は、従来のシャーシの内、リアパネルの取り付形態を（ａ）に斜視図で示し、（ｂ）に要部側断面図で示したものである。
【図５】は、従来のシャーシの内、リアパネルをその取り付け板に固定した様子を（ａ）に斜視図で示し、（ｂ）に、その不具合の様子を要部側断面図で示したものである。
【符号の説明】
【００１９】
１    トップカバー
１ａ    天板
１ｂ    側板
１ｃ    当接部
１ｄ    テーパ形状
２    底板
２ａ    壁
３    フロントパネル
４    リアパネル
５    取り付け板
６    ネジ
１０、２０    シャーシ
【図１】
2007059436.tif 000003
【図２】
2007059436.tif 000004
【図３】
2007059436.tif 000005
【図４】
2007059436.tif 000006
【図５】
2007059436.tif 000007